(57)【要約】【課題】アイドルストップから速やかに内燃機関を再始動する燃料圧力制御装置を提供する。【解決手段】燃料圧力制御装置は、アイドルストップ要求フラグがオンであり（Ｓ４００：Ｙｅｓ）、エンジン回転数が低下中の吸入制御を実行する時間同期のタイミングであれば（Ｓ４０４：Ｙｅｓ）、燃料供給ポンプに燃料を吸入させてコモンレールに燃料を圧送させる。そして、コモンレール圧の実圧と、アイドルストップ中またはエンジン始動開始時のいずれかに応じて設定された目標圧との差圧ΔＰｃが減圧弁を開弁してコモンレール圧を減圧する必要がある駆動許可判定値よりも大きく、かつ駆動許可フラグがオンであれば（Ｓ４２４：Ｙｅｓ）、燃料圧力制御装置は、減圧弁に通電する最終通電時間を算出し（Ｓ４２８〜Ｓ４３６）、最終通電時間に基づいて減圧弁を開閉駆動してコモンレー圧を減圧する（Ｓ４３８）。【選択図】図５
2011132872.tif 000002
【特許請求の範囲】
【請求項１】
燃料を蓄圧するコモンレールと、
前記コモンレールに燃料を圧送する燃料供給ポンプと、
前記コモンレールで蓄圧された燃料を内燃機関の各気筒に噴射する燃料噴射弁と、
を備える燃料噴射システムに適用され、前記コモンレール内の燃料圧力であるコモンレール圧を制御する燃料圧力制御装置において、
前記燃料供給ポンプの燃料圧送を制御する圧送制御手段と、
前記コモンレール圧を検出する圧力検出手段と、
アイドルストップを開始する場合、前記内燃機関が停止するまでの前記内燃機関の回転数低下中に、前記圧送制御手段に指令して前記燃料供給ポンプから燃料を圧送させ、前記圧力検出手段が検出する前記コモンレール圧を所定圧に調圧する圧力制御手段と、
を備えることを特徴とする燃料圧力制御装置。
【請求項２】
前記所定圧は、アイドルストップから前記内燃機関を始動するための始動圧よりも高く設定されていることを特徴とする請求項１に記載の燃料圧力制御装置。
【請求項３】
前記燃料噴射システムは、通電制御により開弁し前記コモンレール内の燃料を排出して前記コモンレール圧を減圧する減圧弁を備え、
前記圧力制御手段は、アイドルストップが開始されてからアイドルストップが解除され前記燃料噴射弁からの燃料噴射が開始されるまでの間、前記コモンレール圧が前記所定圧よりも高いと前記減圧弁を制御して前記コモンレール圧を減圧する、
ことを特徴とする請求項１または２に記載の燃料圧力制御装置。
【請求項４】
前記圧力制御手段は、前記燃料噴射弁からの燃料噴射が停止されアイドル運転状態からアイドルストップ状態に前記内燃機関の運転状態が移行すると、前記内燃機関の回転角度同期から時間同期に切り替えて前記減圧弁を制御することを特徴とする請求項３に記載の燃料圧力制御装置。
【請求項５】
前記時間同期の複数周期が駆動周期の１周期に設定されており、
前記圧力制御手段は、時間同期の複数周期を１周期とする１回の駆動周期で前記減圧弁を１回開弁して前記コモンレール圧を減圧する、
ことを特徴とする請求項４に記載の燃料圧力制御装置。
【請求項６】
前記圧力制御手段は、前記所定圧と前記コモンレール圧との差圧に基づいて算出される前記減圧弁に対する通電時間と、前記減圧弁に対して１回の通電で許可される最大通電時間と、前記時間同期の１周期または複数周期を１周期とする駆動周期において前記減圧弁に対して許可される通電デューティから算出される上限通電時間とのうち最小の通電時間を、１回の前記駆動周期で前記減圧弁に通電する通電時間とすることを特徴とする請求項４または５に記載の燃料圧力制御装置。
【発明の詳細な説明】
【技術分野】
【０００１】
本発明は、燃料供給ポンプから供給されコモンレールで蓄圧された燃料を燃料噴射弁から内燃機関の各気筒に噴射する燃料噴射システムに適用され、コモンレール内の燃料圧力を制御する燃料圧力制御装置に関する。
【背景技術】
【０００２】
従来、燃料供給ポンプから供給されコモンレールで蓄圧された燃料を燃料噴射弁から内燃機関の各気筒に噴射する燃料噴射システムが知られている（例えば、特許文献１、２参照。）。
【０００３】
ここで、特許文献２では、内燃機関を停止状態から始動するときの始動時間を短縮するために、内燃機関が停止するときに燃料供給ポンプに燃料を吸入しておき、内燃機関が始動するときに燃料供給ポンプ内に吸入しておいた燃料をコモンレールに圧送する技術が開示されている。これにより、始動時に燃料供給ポンプから速やかに燃料を圧送し始動に必要な燃料圧力を短時間で得ようとしている。
【０００４】
特に、信号待ち等で車両が所定時間以上停止する場合に、燃料噴射弁からの燃料噴射を停止してアイドルストップを実行する燃料噴射システムにおいては、運転者が走行再開の操作をしたときにアイドルストップから内燃機関を速やかに始動させることにより運転者に不快感を与えないことが望まれる。
【先行技術文献】
【特許文献】
【０００５】
【特許文献１】特開２００８−１２８１６３号公報
【特許文献２】特開２００２−３７１８７３号公報
【発明の概要】
【発明が解決しようとする課題】
【０００６】
しかしながら、特許文献２では、イグニションスイッチをオフしてから内燃機関が停止するまでの間、燃料供給ポンプに燃料を吸入することはできるが圧送できない回転数にエンジン回転数が低下するまで燃料吸入を待機する。つまり、燃料噴射弁からの燃料噴射を停止すると、燃料供給ポンプは燃料を圧送しない。
【０００７】
この状態では、アイドルストップ中に燃料噴射システムから燃料がリークすることによりコモンレール圧が低下するので、アイドルストップを解除し内燃機関を再始動するときに、再始動に必要な燃料圧力、つまり燃料噴射弁から燃料を噴射可能な燃料圧力にコモンレール圧が達していない恐れがある。その結果、予め吸入していた燃料を燃料供給ポンプが速やかに圧送しても、コモンレール圧が再始動に必要な燃料圧力に達するまで再始動が遅れるという問題がある。
【０００８】
本発明は、上記問題を解決するためになされたものであり、アイドルストップから速やかに内燃機関を再始動する燃料圧力制御装置を提供することを目的とする。
【課題を解決するための手段】
【０００９】
請求項１から６に記載の発明によると、アイドルストップを開始する場合、内燃機関が停止するまでの内燃機関の回転数低下中に、圧力制御手段は、圧送制御手段に指令して燃料供給ポンプから燃料を圧送させ、圧力検出手段が検出するコモンレール圧を所定圧に調圧する。
【００１０】
このように、アイドルストップを開始する場合、内燃機関の回転数低下中に燃料供給ポンプから燃料を圧送するので、コモンレール圧を上昇させて所定圧に調圧することができる。これにより、アイドルストップ中に燃料噴射システムから燃料がリークしてコモンレール圧が低下しても、燃料供給ポンプから燃料を圧送しない場合に比べ、再始動時のコモンレール圧を高圧にできる。その結果、燃料噴射弁からの燃料噴射を再開し、アイドルストップから内燃機関を速やかに再始動できる。
【００１１】
請求項２に記載の発明によると、所定圧は、アイドルストップから内燃機関を始動するための始動圧よりも高く設定されている。
これにより、アイドルストップ中に燃料噴射システムから燃料がリークしてコモンレール圧が所定圧から低下しても、内燃機関を再始動するときに必要な始動圧よりもコモンレール圧が低下することを極力防止できる。その結果、アイドルストップから内燃機関を速やかに再始動できる。
【００１２】
ところで、アイドルストップに移行するときの内燃機関の回転数低下中に、燃料供給ポンプの圧送量を高精度に制御することは困難である。したがって、燃料供給ポンプの圧送量を制御するだけでは、コモンレール圧を所定圧に調圧することは困難である。
【００１３】
そこで、請求項３に記載の発明によると、圧力制御手段は、アイドルストップが開始されてからアイドルストップが解除され燃料噴射弁からの燃料噴射が開始されるまでの間、コモンレール圧が所定圧よりも高いと減圧弁を制御してコモンレール圧を減圧する。
【００１４】
これにより、アイドルストップに移行するときの内燃機関の回転数低下中に、燃料供給ポンプから燃料を圧送してコモンレール圧を所定圧よりも一旦高圧にしてから、減圧弁を制御してコモンレー圧を所定圧に調圧できる。その結果、コモンレー圧を所定圧に調圧するための燃料圧送量の高精度な制御が不要である。そして、減圧弁によりコモンレー圧を所定圧に高精度に調圧できる。
【００１５】
ところで、内燃機関の回転数低下中は、内燃機関の回転角度同期の周期が徐々に長くなるので、減圧弁の制御間隔も徐々に長くなる。したがって、減圧弁を制御してコモンレール圧を調圧する頻度が低下する。その結果、減圧弁を制御してコモンレール圧を所定圧に調圧することが困難になる。
【００１６】
そこで、請求項４に記載の発明によると、圧力制御手段は、燃料噴射弁からの燃料噴射が停止されアイドル運転状態からアイドルストップ状態に内燃機関の運転状態が移行すると、内燃機関の回転角度同期から時間同期に切り替えて時間同期に基づく所定の駆動周期で減圧弁を制御する。
【００１７】
これにより、内燃機関の回転数低下中に内燃機関の回転角度同期の周期が長くなっても、一定の駆動周期で減圧弁を制御し、コモンレール圧を所定圧に調圧できる。
請求項５に記載の発明によると、時間同期の複数周期が駆動周期の１周期に設定されており、圧力制御手段は、１回の駆動周期で減圧弁を１回開弁してコモンレール圧を減圧する。
【００１８】
このように、時間同期のタイミング毎に減圧弁を開弁するのではなく、時間同期タイミングを間引いて時間同期の複数周期を１周期とする１回の駆動周期で減圧弁を１回開弁するので、減圧弁を開閉駆動する頻度が低下する。その結果、減圧弁が開閉するときの作動音を低減できる。
【００１９】
また、時間同期のタイミング毎に減圧弁を駆動する場合に比べ減圧弁の駆動頻度が低下するので、減圧弁の寿命を延ばすことができる。
ところで、減圧弁の開弁時間を決定する通電時間は、アイドルストップ中の目標圧である所定圧と圧力検出手段が検出するコモンレール圧との差圧から算出される。
【００２０】
しかし、減圧弁に対する１回当たりの通電時間が長くなると、減圧弁の温度上昇が大きくなるので、減圧弁に対する１回当たりの通電時間の最大値が設定されている。
また、１回当たりの通電時間が短くても、複数回の駆動周期で連続して減圧弁に通電する場合、駆動周期に対する通電時間の割合（デューティ）が所定値を超えると、減圧弁の温度上昇が大きくなる。そこで、１回の駆動周期において通電デューティの上限値が設定されている。
【００２１】
そこで、請求項６に記載の発明によると、圧力制御手段は、所定圧とコモンレール圧との差圧に基づいて算出される減圧弁に対する通電時間と、減圧弁に対して１回の通電で許可される最大通電時間と、減圧弁に対して１回の駆動周期で許可される通電デューティから算出される上限通電時間とのうち最小の通電時間を、１回の駆動周期で減圧弁に通電する通電時間とする。
【００２２】
これにより、減圧弁の温度上昇を極力抑制しつつ、減圧弁を開弁してコモンレール圧を高精度に所定圧に調圧できる。
尚、本発明に備わる複数の手段の各機能は、構成自体で機能が特定されるハードウェア資源、プログラムにより機能が特定されるハードウェア資源、またはそれらの組み合わせにより実現される。また、これら複数の手段の各機能は、各々が物理的に互いに独立したハードウェア資源で実現されるものに限定されない。
【図面の簡単な説明】
【００２３】
【図１】本実施形態による燃料噴射システムを示すブロック図。
【図２】減圧弁を示す断面図。
【図３】アイドルストップ制御時の燃料圧力の変化を示すタイムチャート。
【図４】（Ａ）は減圧弁の間引き制御を示すタイムチャート、（Ｂ）はコモンレール圧の高低に応じた、ΔＰｃと通電時間との関係を示す特性図、（Ｃ）は駆動周期における通電時間のガード処理を示すタイムチャート。
【図５】アイドルストップに移行してから内燃機関を再始動するまでのコモンレール圧の制御ルーチンを示すフローチャート。
【発明を実施するための形態】
【００２４】
以下、本発明の実施形態を図に基づいて説明する。図１に、本実施形態の燃料噴射システム１０を示す。
（燃料噴射システム１０）
蓄圧式の燃料噴射システム１０は、燃料供給ポンプ１６、コモンレール２０、圧力センサ２２、減圧弁３０、燃料噴射弁６０、電子制御装置（ＥＣＵ：Electronic Control Unit）７０、電子駆動装置（ＥＤＵ：Electronic Driving Unit）７２等から構成されており、内燃機関として図示しない４気筒のディーゼルエンジン（以下、単にエンジンとも言う。）の各気筒に燃料を噴射する。尚、図の煩雑さを避けるため、図１においては、ＥＤＵ７２から１個の燃料噴射弁６０への制御信号線だけを示している。
【００２５】
燃料フィルタ１４は、燃料タンク１２から燃料供給ポンプ１６が吸入する燃料中の異物を除去する。燃料供給ポンプ１６は、燃料タンク１２から燃料を吸入するフィードポンプを内蔵しており、吸入した燃料を加圧し供給配管２００を通してコモンレール２０に圧送する。
【００２６】
燃料供給ポンプ１６は、カムシャフトのカムの回転にともないプランジャが往復移動することにより加圧室に吸入した燃料を加圧する公知のポンプである。ＥＣＵ７０が燃料供給ポンプ１６の図示しない調量弁に供給する電流値を制御することにより、燃料供給ポンプ１６が吸入行程で吸入する燃料吸入量が調量される。そして、燃料吸入量が調量されることにより、燃料供給ポンプ１６の燃料圧送量が調量される。尚、燃料供給ポンプ１６の吐出側に調量弁を設置して燃料圧送量を調量してもよい。
【００２７】
コモンレール２０は、燃料供給ポンプ１６が圧送する燃料を蓄圧してエンジン運転状態に応じた所定の高圧に燃料圧力を保持し、噴射配管２０２を通して燃料噴射弁６０に燃料を供給する。圧力センサ２２は、コモンレール２０の内部の燃料圧力（コモンレール圧）に応じた信号を出力する。
【００２８】
減圧弁３０は、開弁することによりコモンレール２０の内部の燃料を低圧側のリターン配管２０４に排出する。
図２に示すように、減圧弁３０の弁ボディ３２は、コモンレール２０にねじ結合している。弁部材３８はシリンダ３６に往復移動自在に支持されており、スプリング４２の荷重により平板状の弁座部材３４に付勢されている。弁部材３８の弁座部材３４側に形成された凹部にボール４０が嵌合している。ボール４０が弁座部材３４に着座することにより、コモンレール２０内と低圧側との連通は遮断される。
【００２９】
コイル４４はステータコア４６に巻回されている。コネクタのターミナル５０を介してＥＤＵ７２からコイル４４に通電されると、弁部材３８はスプリング４２の荷重に抗してステータコア４６に向けて吸引され、それに伴いボール４０が弁座部材３４から離座する。
【００３０】
すると、弁ボディ３２、弁座部材３４、シリンダ３６、ステータコア４６、スクリュウナット４８等に形成された燃料通路１００、１０２、１０４、１０６、１０８、１１０を通り、コモンレール２０内の燃料がリターン配管２０４を通り燃料タンク１２に排出される。
【００３１】
図１に示す燃料噴射弁６０は、４気筒のディーゼルエンジンの各気筒に搭載され、コモンレール２０が蓄圧している燃料を気筒内に噴射する。燃料噴射弁６０は、エンジンの運転状態に基づいて、１回の燃焼サイクルにおいてメイン噴射の前後にパイロット噴射およびポスト噴射を含む多段噴射を行う。燃料噴射弁６０とコモンレール２０とは噴射配管２０２で接続されている。
【００３２】
燃料噴射弁６０は、ノズルニードルに閉弁方向に燃料圧力を加える背圧室の圧力を制御することにより燃料噴射量を制御する公知の電磁駆動式の噴射弁である。燃料噴射弁６０の電磁駆動部は、ピエゾアクチュエータまたは電磁コイルで構成されている。
【００３３】
背圧制御弁６２は、燃料噴射弁６０の背圧室の圧力が所定圧を超えると開弁し、背圧室の燃料をリターン配管２０４に排出する。これにより、燃料噴射弁６０の背圧室の圧力が所定圧を超えることを防止する。
【００３４】
ＥＣＵ７０は、ＣＰＵ、ＲＯＭ、ＲＡＭ、フラッシュメモリ等の書換可能な不揮発性メモリ、入出力インタフェース等を中心とするマイクロコンピュータ（マイコン）から主に構成されている。
【００３５】
ＥＣＵ７０は、圧力センサ２２、クランク角センサ８０、カム角センサ８２、アクセルペダルの開度（ＡＣＣ）を検出するアクセルセンサ８４、水温センサ等の各種センサの出力信号からエンジン運転状態を取得する。そして、ＥＣＵ７０は、各種センサから出力信号を取り込み、エンジン運転状態を制御する。
【００３６】
クランク角センサ８０は、エンジンのクランクシャフトが所定角度回転する毎にパルス信号を出力する。ＥＣＵ７０は、単位時間当たりにクランク角センサ８０が出力するパルス信号数からエンジン回転数を検出する。
【００３７】
カム角センサ８２は、ディーゼルエンジンの４気筒の気筒位置を判別するセンサであり、例えば、カムシャフトが１回転する間に特定の気筒位置を判別するパルス信号を出力する。ＥＣＵ７０は、クランク角センサ８０およびカム角センサ８２が出力するパルス信号に基づき、エンジンのクランク角度位置を検出するとともに、気筒を判別する。
【００３８】
ＥＣＵ７０は、ＲＯＭまたはフラッシュメモリに記憶されている制御プログラムを実行することにより、燃料噴射システム１０の各種制御を実行する。例えば、ＥＣＵ７０は、燃料供給ポンプ１６の吐出量、および減圧弁２４の開閉を制御して、圧力センサ２２の出力信号から検出するコモンレール圧の実圧と、エンジン運転状態に基づいて設定するコモンレール圧の目標圧との差圧に基づいてコモンレール圧を目標圧に追随させるＦ／Ｂ制御を実行する。
【００３９】
また、ＥＣＵ７０は、燃料噴射弁６０の噴射量、噴射時期、およびメイン噴射の前後にパイロット噴射、ポスト噴射等を実施する場合の多段噴射のパターンを制御する。
ＥＣＵ７０は、燃料噴射弁６０の噴射時期および噴射量を制御する噴射制御信号としてパルス信号をＥＤＵ７２に出力する。
【００４０】
ＥＤＵ７２は、ＥＣＵ７０が出力する制御信号に基づいて減圧弁２４、燃料噴射弁６０に駆動電流または駆動電圧を供給するための駆動装置である。
（コモンレール圧制御）
本実施形態の燃料噴射システム１０は、図３に示すように、エンジン運転状態がアイドル状態である等の所定のアイドルストップ条件が成立すると、燃料噴射弁６０からの燃料噴射を停止しエンジンの回転を停止するアイドルストップを実行する。
【００４１】
そして、ＥＣＵ７０は、アイドルストップが開始されてからアイドルストップが解除され燃料噴射弁６０からの燃料噴射が開始されるまでの間、エンジンを速やかに再始動するために、以下に説明するコモンレール圧制御を実行する。
【００４２】
（１）エンジン停止途中
ＥＣＵ７０は、アイドルストップ条件が成立するとアイドルストップ要求フラグをオンにし、アイドルストップ中におけるコモンレール圧の目標圧である残圧制御圧をアイドル運転時の目標圧（アイドル圧とも言う。）よりも高く設定する。
【００４３】
そして、アイドルストップ要求フラグがオンになると、燃料供給ポンプ１６に対する通常のＦ／Ｂ制御を停止し、調量弁を閉弁し燃料供給ポンプ１６の吸入量を一旦０にする停止制御を実行する。すなわち、燃料供給ポンプ１６からの燃料圧送を停止し、圧送量を０にする。
【００４４】
また、アイドルストップ要求フラグがオンになると、ＥＣＵ７０は、減圧弁３０に対する制御をクランク角度同期からタイマ割り込みによる時間同期に変更する。
そして、ＥＣＵ７０は、燃料噴射弁６０からの燃料噴射を停止し、エンジン回転数が所定回転数に低下すると、調量弁を開弁して燃料供給ポンプ１６に燃料を吸入し、燃料供給ポンプ１６からコモンレール２０に燃料を圧送する。この場合、燃料供給ポンプ１６の吸入量、つまり圧送量は調量弁により固定値に設定される。
【００４５】
燃料供給ポンプ１６から燃料が圧送されることによりコモンレール圧は上昇する。この調量弁による吸入量を固定した吸入制御中において、実圧が目標の残圧制御圧を超えると、実圧と目標圧との差圧の大きさに基づいて減圧弁３０が開弁される。
【００４６】
このとき、時間同期のタイミングで減圧弁３０が制御される。例えば、図４の（Ａ）に示すように、時間同期の３周期を１周期とする１回の駆動周期で減圧弁３０の開閉駆動が１回実行される。
【００４７】
このように、時間同期のタイミングで割り込んで減圧弁３０に対する制御は起動されるが、減圧弁３０の駆動が許可されていない時間同期のタイミングを間引いて減圧弁３０を開閉駆動することにより、時間同期のタイミング毎に減圧弁３０を開閉駆動する場合に比べ、減圧弁３０の開閉による作動音を低減できる。また、減圧弁３０に対する開閉駆動頻度が低下するので、減圧弁３０の寿命が延びるという効果がある。
【００４８】
尚、図４の（Ａ）では、３回の時間同期の周期のうち１周期だけに減圧弁３０に対する駆動を許可しているが、駆動を許可する時間同期の周期の数は、後述する減圧弁３０に対する１回当たりの最終通電時間内であれば、駆動周期内で複数の時間同期の周期にまたがってもよい。
【００４９】
図４の（Ｂ）に示すように、減圧弁３０に通電する通電時間の長さは、実圧と目標圧との差圧ΔＰｃと、そのときのコモンレール圧とにより決定される。以後、コモンレール圧を減圧する調圧制御のために、実圧と目標圧との差圧ΔＰｃと、そのときのコモンレール圧とにより決定される減圧弁３０に対する通電時間を「初期通電時間」とも言う。差圧ΔＰｃが大きくなるほど、そして、コモンレール圧が低くなるほど、初期通電時間は長くなる。
【００５０】
ただし、１回の駆動周期において最終的に許可される減圧弁３０に対する通電時間は、減圧弁３０に対する最大通電時間と、駆動周期内における通電オン時間の割合である通電デューティから算出された上限通電時間とに基づいて制限される。
【００５１】
最大通電時間は、１回の通電による減圧弁３０の温度上昇量が所定値以上にならないように設定された時間である。また、通電デューティは、複数の駆動周期で減圧弁３０を連続して開閉駆動する場合に、減圧弁３０の温度上昇量が所定値以上にならないように設定された、駆動周期に対する通電時間のデューティ上限値である。
【００５２】
図４の（Ａ）では、３回の時間同期の周期のうち２周期において減圧弁３０に対する駆動が許可されていないが、デューティ上限値は、時間同期の３周期を１周期とする１回の駆動周期に対して設定されている。尚、図４の（Ａ）のように、時間同期の複数周期のうち１周期だけに駆動許可が与えられている場合、許可されている時間同期の１周期に対して、通電時間のデューティ上限値を設定してもよい。
【００５３】
そして、１回の駆動周期において減圧弁３０に通電できる通電時間は、初期通電時間と、最大通電時間と、上限通電時間とのうち最小の通電時間に設定される。
例えば、図４の（Ｃ）に示すように、駆動周期毎に差圧ΔＰｃと、そのときのコモンレール圧とに基づいて初期通電時間ｔ１、ｔ２が算出された場合を考えてみる。
【００５４】
初期通電時間ｔ１は、最大通電時間以下であり、かつ駆動周期に対する割合も通電デューティ以下であるから、そのまま初期通電時間ｔ１の長さで減圧弁３０に通電される。
一方、初期通電時間ｔ２は、差圧ΔＰｃが大きいために初期通電時間ｔ１よりも長くなっている。そして、初期通電時間ｔ２は、最大通電時間よりは短いものの、駆動周期に対する割合が通電デューティを超えるので、ガード処理が実行される。そして、ガード処理された時間が減圧弁３０に対する通電時間として採用される。
【００５５】
（２）エンジン停止
図３に示すように、エンジンが停止すると、燃料供給ポンプ１６から燃料は圧送されなくなるので、コモンレール圧の上昇は停止する。このとき、ＥＣＵ７０は燃料供給ポンプ１６の調量弁を閉弁する停止制御を実行し、燃料供給ポンプ１６からの燃料リーク量を極力低減する。また、燃料噴射弁６０がピエゾアクチュエータ駆動式の場合には、燃料噴射弁６０からの燃料リーク量を殆ど０にできる。
【００５６】
尚、減圧弁３０による前述したコモンレール圧の調圧制御は、実圧と目標圧との差圧ΔＰｃに基づいて継続して実行される。
（３）エンジン再始動
（３−１）始動気筒判別前
ブレーキペダルの踏み込み解除等によりアイドルストップ条件が成立しなくなると、ＥＣＵ７０は、スタータを回転させる。そして、燃料供給ポンプ１６の吸入量、つまり圧送量は調量弁により再始動用の固定値に設定される。
【００５７】
尚、スタータを回転させてもエンジンの始動気筒の判別が終了するまでは、燃料噴射弁６０から燃料は噴射されない。ＥＣＵ７０は、始動気筒の判別が終了し燃料噴射弁６０が燃料を噴射するときに燃料が適正に燃焼してエンジンが始動できるように、減圧弁３０を開閉駆動してコモンレール圧の目標圧を残圧制御圧から始動圧に低下させる。
【００５８】
そして、始動気筒の判別が終了するまでの間、減圧弁３０による前述したコモンレール圧の時間同期による調圧制御は、実圧と目標圧である始動圧との差圧に基づいて継続して実行される。
（３−２）始動気筒判別後
クランクシャフトおよびカムシャフトの回転が進み、クランク角センサ８０およびカム角センサ８２の出力信号から始動気筒が判別されると、ＥＣＵ７０は燃料噴射弁６０に始動気筒からの燃料噴射を指令する。これに合わせて、アイドルストップ要求フラグはオフになる。その結果、ＥＣＵ７０は、減圧弁３０による時間同期に基づくアイドルストップ用のコモンレール圧の調圧制御を終了し、実圧と目標圧との差圧に基づくＦ／Ｂ制御を実行する。
【００５９】
燃料噴射弁６０から燃料が噴射されエンジン回転数が所定の回転数に達すると、ＥＣＵ７０は、コモンレール圧の目標圧を始動圧からアイドル圧に設定する。その後、エンジン回転数は上昇し、目標のアイドル回転数に達する。
【００６０】
（コモンレール圧制御ルーチン）
次に、アイドルストップ時にＥＣＵ７０が実行するコモンレール圧制御ルーチンについて図５に基づいて説明する。図５のルーチンは、時間割り込みで所定時間周期で実行される。図５において「Ｓ」はステップを表している。
【００６１】
Ｓ４００においてＥＣＵ７０は、アイドルストップ要求中であるか否かを判定する。この判定は、アイドルストップ要求フラグがオンカオフかで判定する。前述したように、アイドルストップ要求フラグは、アイドルストップ条件が成立し、燃料噴射弁６０からの燃料噴射が停止されてからアイドルストップが解除され始動気筒が判別されるまでの間オンに設定され、それ以外はオフに設定される。
【００６２】
アイドルストップ要求フラグがオフの場合（Ｓ４００：Ｎｏ）、ＥＣＵ７０は通常の調量弁および減圧弁３０によるコモンレール圧のＦ／Ｂ制御を実行し（Ｓ４０２）、本ルーチンを終了する。
【００６３】
アイドルストップ要求フラグがオンの場合（Ｓ４００：Ｙｅｓ）、Ｓ４０４においてＥＣＵ７０は調量弁を開閉して燃料供給ポンプ１６に対する吸入制御を実行するか停止制御を実行するかを判定する。
【００６４】
吸入制御（Ｓ４０４：Ｙｅｓ、Ｓ４０６）または停止制御（Ｓ４０４：Ｎｏ、Ｓ４０８）を実行後、Ｓ４１０においてＥＣＵ７０は、減圧弁３０に対して駆動制御を実行する時間同期のタイミングであるか否かを判定する。図５のルーチンでは、時間同期の複数周期にまたがらず、時間同期の３回に１回の周期だけに減圧弁３０に対する駆動制御が許可される。
【００６５】
駆動制御を実行する時間同期タイミングであり駆動条件が成立していれば（Ｓ４１０：Ｙｅｓ）、Ｓ４１２でＥＣＵ７０は駆動許可フラグをオンにし、駆動制御を実行するタイミングではなく駆動条件が成立していなければ（Ｓ４１０：Ｎｏ）、Ｓ４１４でＥＣＵ７０は駆動許可フラグをオフにする。
【００６６】
次に、Ｓ４１６でＥＣＵ７０は、アイドルストップが解除されてスタータが駆動された状態で、始動気筒の判別前であるエンジン始動状態であるか否かを判定する。
エンジン始動状態であれば（Ｓ４１６：Ｙｅｓ）、Ｓ４１８でＥＣＵ７０はコモンレール圧の目標圧を始動圧に設定し、エンジン始動状態でなければ（Ｓ４１６：Ｎｏ）、Ｓ４２０でＥＣＵ７０はコモンレール圧の目標圧をアイドルストップ中の残圧制御圧に設定する。
【００６７】
次に、Ｓ４２２でＥＣＵ７０は、コモンレール圧の実圧と目標圧との差圧ΔＰｃを算出する。そして、Ｓ４２４においてＥＣＵ７０は、ΔＰｃが減圧弁３０を開弁してコモンレール圧を減圧する必要がある駆動許可判定値よりも大きく、かつ駆動許可フラグがオンであるか否かを判定する。差圧ΔＰｃが駆動許可判定値以下の場合は、実圧が目標圧に十分に近く、減圧弁３０を開弁してコモンレール圧を減圧する必要がないと判断する。
【００６８】
ΔＰｃが駆動許可判定値以下か、駆動許可フラグがオフであれば（Ｓ４２４：Ｎｏ）、Ｓ４２６でＥＣＵ７０は、減圧弁３０への通電時間を０に設定して減圧弁３０を開弁せずに本ルーチンを終了する。
【００６９】
ΔＰｃが駆動許可判定値より大きく、かつ駆動許可フラグがオンであれば（Ｓ４２４：Ｙｅｓ）、Ｓ４２８でＥＣＵ７０は、図４の（Ｂ）に基づき、コモンレール圧と差圧ΔＰｃとから初期通電時間Ｔａを算出する。
【００７０】
Ｓ４３０においＥＣＵ７０は、前述した最大通電時間と上限通電時間とのうち小さい方の時間を１回の時間同期周期において減圧弁３０に通電できる通電ガード時間Ｔｂとして設定する。
【００７１】
そして、Ｔａ＜Ｔｂであれば（Ｓ４３２：Ｙｅｓ）、今回の時間同期周期において減圧弁３０に対する通電時間を初期通電時間Ｔａに設定する（Ｓ４３４）。Ｔａ≧Ｔｂであれば（Ｓ４３２：Ｎｏ）、今回の時間同期周期において減圧弁３０に対する通電時間を通電ガード時間Ｔｂに設定する（Ｓ４３６）。
【００７２】
そして、Ｓ４３８においてＥＣＵ７０は、Ｓ４３４またはＳ４３６で設定した最終通電時間に基づいて減圧弁３０を開閉駆動し、本ルーチンを終了する。
以上説明した上記実施形態では、アイドルストップ条件が成立すると、燃料噴射弁６０からの燃料噴射が停止されエンジンが停止するまでのエンジン回転数の低下中に燃料供給ポンプ１６からコモンレール２０に燃料を圧送するので、コモンレール圧を上昇させて所定圧に調圧することができる。
【００７３】
これにより、アイドルストップ中に燃料噴射システム１０から燃料がリークしてコモンレール圧が低下しても、アイドルストップからエンジンを再始動するときに必要な燃料圧力を保持できる。
【００７４】
また、アイドルストップ条件が成立すると、クランク角による角度同期から時間同期に切り替えて減圧弁３０に対する開閉駆動を制御するので、エンジン回転数の低下中に角度同期の周期が徐々に長くなっても、一定の時間同期のタイミングで減圧弁３０を制御し、コモンレール圧を所定圧に調圧できる。
【００７５】
上記実施形態では、ＥＣＵ７０が本発明の燃料圧力制御装置に相当する。
また、図５のＳ４０２、Ｓ４０６、Ｓ４０８の処理が本発明の圧送制御手段が実行する機能に相当し、Ｓ４２２の処理が本発明の圧力検出手段が実行する機能に相当し、Ｓ４０６、Ｓ４０８、Ｓ、４２６、Ｓ４３４〜Ｓ４３８の処理が本発明の圧力制御手段が実行する機能に相当する。
【００７６】
［他の実施形態］
上記実施形態では、アイドルストップ条件が成立すると、燃料噴射弁６０からの燃料噴射が停止されエンジンが停止するまでのエンジン回転数の低下中に燃料供給ポンプ１６からコモンレール２０に燃料を圧送してコモンレール圧を上昇させ、さらに減圧弁３０を開閉駆動してコモンレール圧を所定の残圧制御圧に調圧した。これに対し、調量弁による燃料供給ポンプ１６からの圧送量制御だけで、コモンレール圧を所定の残圧制御圧に調圧してもよい。
【００７７】
また、時間同期のタイミングを間引かず、時間同期のタイミング毎に減圧弁３０に対する開閉駆動を実行してもよい。
上記実施形態では、圧送制御手段、圧力検出手段、圧力制御手段の機能を、制御プログラムにより機能が特定されるＥＣＵ７０により実現している。これに対し、上記複数の手段の機能の少なくとも一部を、回路構成自体で機能が特定されるハードウェアで実現してもよい。
【００７８】
このように、本発明は、上記実施形態に限定されるものではなく、その要旨を逸脱しない範囲で種々の実施形態に適用可能である。
【符号の説明】
【００７９】
１０：燃料噴射システム、１６：燃料供給ポンプ、２０コモンレール、３０：減圧弁、６０：燃料噴射弁、７０：ＥＣＵ（燃料圧力制御装置、圧送制御手段、圧力検出手段、圧力制御手段）
【図１】
2011132872.tif 000003
【図２】
2011132872.tif 000004
【図３】
2011132872.tif 000005
【図４】
2011132872.tif 000006
【図５】
2011132872.tif 000007